(57)【要約】【課題】  レベルシフタの無効電流による消費電力を低減し得る表示装置の駆動装置、表示装置、及び表示装置の駆動方法を提供する。【解決手段】  ソースクロック信号に同期して動作する複数段のフリップフロップと、フリップフロップの駆動電圧よりも振幅が小さなソースクロック信号を昇圧して各フリップフロップへ印加するレベルシフタとを有して、ソースクロック信号に同期して入力パルスを伝送するシフトレジスタを備えて、複数のデータ信号線に画像表示データ信号を出力するデータ信号線駆動回路と、画像表示するときに、ソースクロック信号ＳＣＫの周波数を、フルカラーモードにて多階調表示するノーマル表示時（図１（ａ））よりも大きくする（図１（ｂ））制御回路とが設けられている。【選択図】  図１
2005266177.tif 000002
【特許請求の範囲】
【請求項１】
互いに交差する複数の走査信号線及び複数のデータ信号線を有し、各走査信号線から出力される走査信号に同期して各データ信号線を通して各交差部に設けられた画素に対して画像表示データ信号が出力される表示画面を備えた表示装置の駆動装置において、
ソースクロック信号に同期して動作する複数段のフリップフロップと、上記フリップフロップの駆動電圧よりも振幅が小さな上記ソースクロック信号を昇圧して上記各フリップフロップへ印加する各レベルシフタとを有して、上記ソースクロック信号に同期して入力パルスを伝送するシフトレジスタとを備え、このシフトレジスタからの各出力に基いてサンプリング回路にて画像表示データ信号をサンプリングして、上記複数のデータ信号線に出力するデータ信号線駆動回路と、
画像表示するときに、上記ソースクロック信号の周波数を、フルカラーモードにて多階調表示するノーマル表示時よりも大きくする制御手段とが設けられていることを特徴とする表示装置の駆動装置。
【請求項２】
前記表示画面の全体を表示させる全画面表示モードと、該表示画面の一部のみを時分割表示させる部分画面表示モードとを切り替えて駆動すると共に、
前記制御手段は、上記部分画面表示モードにおける表示部分を表示するときに、ソースクロック信号の周波数を、全画面表示モードにおける表示部分を表示するときのソースクロック信号の周波数よりも大きくすることを特徴とする請求項１記載の表示装置の駆動装置。
【請求項３】
前記部分画面表示モードにおける表示部分を表示するときには、該表示部分を構成する各画素をオンオフの２状態で表示することを特徴とする請求項２記載の表示装置の駆動装置。
【請求項４】
前記表示部分を構成する各画素における赤（Ｒ）・緑（Ｇ）・青（Ｂ）の各３原色をオンオフする２状態で表示することを特徴とする請求項３記載の表示装置の駆動装置。
【請求項５】
前記制御手段は、前記部分画面表示モードにおける表示部分の走査信号のゲートクロック信号の周波数を、全面表示モードにおける走査信号のゲートクロック信号の周波数よりも大きくすることを特徴とする請求項２、３又は４記載の表示装置の駆動装置。
【請求項６】
前記制御手段は、前記部分画面表示モードにおける非表示部分の走査信号のゲートクロック信号の周波数を、全面表示モードにおける走査信号のゲートクロック信号の周波数よりも小さくすることを特徴とする請求項２、３又は４記載の表示装置の駆動装置。
【請求項７】
前記部分画面表示モードにおける非表示部分に画像を表示させるときに、前記画像表示データ信号とは別の供給線を用いて電圧を印加する電圧印加手段が設けられていることを特徴とする請求項２、３又は４記載の表示装置の駆動装置。
【請求項８】
前記部分画面表示モードにおける表示部分に画像表示データ信号を印加して画像を表示させるときに、プリチャージ電圧を印加するプリチャージ電圧印加手段が設けられていることを特徴とする請求項２、３又は４記載の表示装置の駆動装置。
【請求項９】
前記請求項１〜８のいずれか１項に記載の表示装置の駆動装置を備えたことを特徴とする表示装置。
【請求項１０】
互いに交差する複数の走査信号線及び複数のデータ信号線を有し、各走査信号線から出力される走査信号に同期して各データ信号線を通して各交差部に設けられた画素に対して画像表示データ信号が出力される表示画面を備えた表示装置の駆動方法において、
ソースクロック信号に同期して動作する複数段のフリップフロップと、上記フリップフロップの駆動電圧よりも振幅が小さな上記ソースクロック信号を昇圧して上記各フリップフロップへ印加する各レベルシフタとを有して、上記ソースクロック信号に同期して入力パルスを伝送するシフトレジスタとを備え、このシフトレジスタからの各出力に基いてサンプリング回路にて画像表示データ信号をサンプリングして、上記複数のデータ信号線に出力するデータ信号線駆動回路を含み、
画像表示するときに、上記ソースクロック信号の周波数を、フルカラーモードにて多階調表示するノーマル表示時よりも大きくすることを特徴とする表示装置の駆動方法。
【請求項１１】
前記表示画面の全体を表示させる全画面表示モードと、該表示画面の一部のみを時分割表示させる部分画面表示モードとを切り替えて駆動すると共に、
上記部分画面表示モードにおける表示部分を表示するときに、ソースクロック信号の周波数を、全画面表示モードにおける表示部分を表示するときのソースクロック信号の周波数よりも大きくすることを特徴とする請求項１０記載の表示装置の駆動方法。
【請求項１２】
前記部分画面表示モードにおける表示部分を表示するときには、該表示部分を構成する各画素をオンオフの２状態で表示することを特徴とする請求項１１記載の表示装置の駆動方法。
【請求項１３】
前記表示部分を構成する各画素における赤（Ｒ）・緑（Ｇ）・青（Ｂ）の各３原色をオンオフする２状態で表示することを特徴とする請求項１２記載の表示装置の駆動方法。
【請求項１４】
前記部分画面表示モードにおける表示部分の走査信号のゲートクロック信号の周波数を、全面表示モードにおける走査信号のゲートクロック信号の周波数よりも大きくすることを特徴とする請求項１１、１２又は１３記載の表示装置の駆動装置。
【請求項１５】
前記部分画面表示モードにおける非表示部分の走査信号のゲートクロック信号の周波数を、全面表示モードにおける走査信号のゲートクロック信号の周波数よりも小さくすることを特徴とする請求項１１、１２又は１３記載の表示装置の駆動方法。
【請求項１６】
前記部分画面表示モードにおける非表示部分に画像を表示させるときに、前記画像表示データ信号とは別の供給線を用いて電圧を印加することを特徴とする請求項１１、１２又は１３記載の表示装置の駆動方法。
【請求項１７】
前記部分画面表示モードにおける表示部分に画像表示データ信号を印加して画像を表示させるときに、プリチャージ電圧を印加することを特徴とする請求項１１、１２又は１３記載の表示装置の駆動方法。
【発明の詳細な説明】
【技術分野】
【０００１】
本発明は、液晶表示装置等の表示装置の駆動装置、表示装置、及び表示装置の駆動方法に関するものである。
【背景技術】
【０００２】
画像表示装置のデータ信号線駆動回路や走査信号線駆動回路では、各データ信号線を映像信号からサンプリングする際のタイミングをとるためや、各走査信号線へ与える走査信号を作成するために、シフトレジスタが広く使われている。
【０００３】
一方、電子回路の消費電力は、周波数と、負荷容量と、電圧の２乗とに比例して大きくなる。したがって、例えば、画像表示装置への映像信号を生成する回路等の画像表示装置に接続される回路、又は画像表示装置では、消費電力を低減するため、駆動電圧が益々低く設定される傾向にある。
【０００４】
例えば、画素、データ信号線駆動回路又は走査信号線駆動回路のように、広い表示面積を確保するために多結晶シリコン薄膜トランジスタが使用される回路では、基板間又は同一基板内においても、しきい値電圧の相違が、例えば４Ｖ程度に達することもあるため、駆動電圧の低減が十分に進んでいるとは言い難い。しかし、上記映像信号の生成回路のように、単結晶シリコントランジスタを用いた回路では、駆動電圧は、例えば３．３Ｖ又はそれ以下の値に設定されていることが多い。したがって、シフトレジスタの駆動電圧よりも低いクロック信号が印加される場合、シフトレジスタには、クロック信号を昇圧するレベルシフタが設けられる。このような、レベルシフタを備えた画像表示装置として、例えば特許文献１、特許文献２に開示されたものがある。
【０００５】
上記特許文献１、特許文献２に開示されたレベルシフタの構成及び動作について説明する。
【０００６】
図１６に示すように、上記シフトレジスタ１００へ、例えば３．３Ｖ程度の振幅のクロック信号ＣＫが与えられると、レベルシフタ１１０は、シフトレジスタ１１０の駆動電圧（例えば８Ｖ）まで、クロック信号ＣＫを昇圧する。昇圧後のクロック信号ＣＫは、各フリップフロップＦ１〜Ｆｎへ印加され、シフトレジスタ部１２０は、当該クロック信号ＣＫに同期して開始信号ＳＰをシフトする。
【０００７】
ところで、このようなレベルシフタ１１０は、例えば、図１７に示すように、クロック信号ＣＫをレベルシフトするレベルシフト部１１１と、クロック信号ＣＫの供給が不要な停止期間に、レベルシフト部１１１への電力供給を遮断する電力供給制御部１１２と、停止期間中、レベルシフト部１１１とクロック信号ＣＫが伝送される信号線とを遮断する入力制御部（スイッチ）１１３と、停止期間中、上記レベルシフト部１１１の入力スイッチング素子を遮断する入力信号制御部１１４・１１４と、停止期間中、レベルシフト部１１１の出力を所定の値に維持する出力安定部１１５とを備えている。
【０００８】
上記レベルシフト部１１１は、入力段の差動入力対として、ソースが互いに接続されたｐ型のＭＯＳトランジスタＰ１１・Ｐ１２と、両トランジスタＰ１１・Ｐ１２のソースへ例えば８Ｖの駆動電圧Ｖｃｃにより所定の電流を供給する定電流源Ｉｃと、カレントミラー回路を構成して両トランジスタＰ１１・Ｐ１２の能動負荷となるｎ型のＭＯＳトランジスタＮ１３・Ｎ１４と、差動入力対の出力を増幅するＣＭＯＳ構造のトランジスタＰ１５・Ｎ１６とを備えている。
【０００９】
上記トランジスタＰ１１のゲートには、トランジスタＮ３１を介して、クロック信号ＣＫが入力され、トランジスタＰ１２のゲートには、トランジスタＮ３３を介して、クロック信号の反転信号である反転クロック信号ＣＫＢが入力される。また、トランジスタＮ１３・Ｎ１４のゲートは、互いに接続され、さらに、上記トランジスタＰ１１・Ｎ１３のドレインに接続されている。一方、互いに接続されたトランジスタＰ１２・Ｎ１４のドレインは、上記トランジスタＰ１５・Ｎ１６のゲートに接続される。このトランジスタＰ１５のソースは上記駆動電圧Ｖｃｃに接続されている。なお、トランジスタＮ１３・Ｎ１４のソースは、上記電力供給制御部１１２としてのｎ型のＭＯＳトランジスタＮ２１を介して接地される。
【００１０】
上記構成のレベルシフタ１２０では、制御信号ＥＮＡが動作を示している場合（Ｈｉｇｈレベルの場合）、トランジスタＮ２１・Ｎ３１・Ｎ３３が導通し、トランジスタＰ３２・Ｐ３４・Ｐ４１が遮断される。この状態では、定電流源Ｉｃの電流は、トランジスタＰ１１・Ｎ１３、又はトランジスタＰ１２・Ｎ１４を介した後、さらに、トランジスタＮ２１を介して流れる。また、両トランジスタＰ１１・Ｐ１２のゲートには、３．３Ｖのクロック信号ＣＫ又は反転クロック信号ＣＫＢが印加される。この結果、両トランジスタＰ１１・Ｐ１２には、それぞれのゲートソース間電圧の比率に応じた量の電圧が流れる。一方、トランジスタＮ１３・Ｎ１４は、能動負荷として働くので、トランジスタＰ１２・Ｎ１４の接続点の電圧は、両クロック信号ＣＫ又は反転クロック信号ＣＫＢの電圧レベルの差に応じた電圧となる。当該電圧は、ＣＭＯＳのトランジスタＰ１５・Ｎ１６のゲート電圧となり、両トランジスタＰ１５・Ｎ１６により、駆動電圧Ｖｃｃにて電力増幅された後、８Ｖの出力電圧ＯＵＴとして出力される。
【００１１】
上記レベルシフタ１２０は、クロック信号ＣＫによって、入力段のトランジスタＰ１１・Ｐ１２の導通／遮断を切り換える構成、すなわち、電圧駆動型とは異なり、動作中、入力段のトランジスタＰ１１・Ｐ１２のいずれかが常時導通する電流駆動型であり、両トランジスタＰ１１・Ｐ１２のゲート−ソース間電圧の比率に応じて、定電流源Ｉｃの電流を分流することによって、クロック信号ＣＫをレベルシフトする。これにより、クロック信号ＣＫの振幅が入力段のトランジスタＰ１１・Ｐ１２のしきい値よりも低い場合であっても、何ら支障なく、クロック信号ＣＫをレベルシフトできる。
【００１２】
この結果、各レベルシフタ１２０は、それぞれに対応する制御信号ＥＮＡがＨｉｇｈレベルの間、クロック信号ＣＫとして、波高値が駆動電圧Ｖｃｃよりも低い値（例えば３．３Ｖ程度）のクロック信号ＣＫと同一形状で、波高値が駆動電圧Ｖｃｃ（例えば８Ｖ程度）に昇圧された出力電圧ＯＵＴを出力できる。
【００１３】
一方、近年、携帯機器に使用される表示装置においては、その携帯機器の使用時間の長時間化の要求に伴い、表示装置に対しても低消費電力化の要求が強くなっている。ここで、例えば携帯電話等の携帯機器においては、常に使用状態にあるとは限らず、その大部分の時間が待機状態であることが多い。また、使用時と待機時とでは、表示する映像やフォーマットが異なることが多い。
【００１４】
例えば、待機時には、メニュー画面や時刻等が表示できればよく、精細度や表示色数等は低くてもよい場合がある。むしろ、低消費電力化による使用時間の長時間化が重要である。これに対して、使用時には、大量の文章や図形、写真等の画像を表示することが多く、高品位の表示が求められる。このときには、携帯機器の他の部分、例えば、通信モジュールや入力インターフェイス部、演算処理部等では消費電力が大きくなるので、表示モジュールでの消費電力の比率が小さくなる。したがって、使用時における低消費電力化への要求は待機時ほど強くないのが一般的である。
【００１５】
そこで、この問題を解決するために、例えば、特許文献３に開示された画像表示装置２００では、図１８に示すように、表示画面２０１を分割して表示するいわゆるパーシャル表示ができるようになっている。このパーシャル表示では、表示領域を領域Ｐ１・Ｐ２・Ｐ３の３領域に分割し、例えば、領域Ｐ１・Ｐ３では背景を白表示として何も表示しない非表示部とし、領域Ｐ２では静止画として時刻表示や壁紙などを表示する。
【００１６】
したがって、待機時においては領域Ｐ２が表示部分であり、領域Ｐ１・Ｐ３が非表示部分である。そして、その待機時の駆動は、領域Ｐ２の表示と領域Ｐ１・Ｐ３の表示とでは、リフレッシュレート（書き換え頻度）を変えており、領域Ｐ１・Ｐ３のリフレッシュレートを領域Ｐ２のリフレッシュレートよりも小さくして間欠的に書き込むようにしている。
【００１７】
これにより、使用時には、多階調にて大量の文章や図形、写真等の画像を表示し、高品位の表示を行う一方、待機時には、領域Ｐ１・Ｐ３の表示において、領域Ｐ２よりも間欠的に書き込みを行い、低消費電力化を図っている。
【００１８】
上記の画像表示装置２００における駆動方法について、より詳細に、タイミングチャートに基いて行う。なお、説明に際して、パーシャル表示を行わない場合のタイミングチャートを先に説明する。
【００１９】
まず、パーシャル表示を行わない全画面表示では、図１９に示すように、ゲートクロック信号ＧＣＫの所定数毎にゲートスタートパルスＧＳＰがＨｉｇｈになる。つまり、１垂直走査期間（１Ｖ）毎にゲートスタートパルスＧＳＰがＨｉｇｈになる。このとき、データ信号線駆動回路では、ソースクロック信号ＳＣＫの所定数毎にソーススタートパルスＳＳＰがＨｉｇｈになり、プリチャージコントロール信号ＰＣＴＬにて予備充電をした後、データ信号ＤＡＴが画素に印加されるようになっている。したがって、この駆動方法では、継続してゲートクロック信号ＧＣＫ及びソースクロック信号ＳＣＫが動作し、表示画面２０１のリフレッシュレートは一定である。また、表示も１垂直走査期間毎に毎回行われる。このため、消費電力の増大を招くことになっている。
【００２０】
これに対して、パーシャル表示を行う駆動では、図２０に示すように、上記領域Ｐ１・Ｐ３を白表示として何も表示しない非表示部とすると共に、この白データはリフレッシュレートを下げても表示上問題がないので、領域Ｐ２における表示用の画像データのリフレッシュレートよりも小さくしている。
【００２１】
また、領域Ｐ２を表示するのは３垂直走査期間（３Ｖ）に１度としている。すなわち、最初の１垂直走査期間（１Ｖ）のみゲートクロック信号ＧＣＫ及びゲートスタートパルスＧＳＰ、並びにソースクロック信号ＳＣＫ及びソーススタートパルスＳＳＰを稼動し、次の第２垂直走査期間、第３垂直走査期間はゲートクロック信号ＧＣＫ及びゲートスタートパルスＧＳＰ、並びにソースクロックＳＣＫ及びソーススタートパルスＳＳＰを停止させることにより、回路動作を停止させる。このような駆動をしても、液晶は表示を保持する性質を有しているので、静止画の場合には表示が保たれている。
【００２２】
さらに、非表示用の白データの表示は、６垂直走査期間毎に行い、第３垂直走査期間には駆動回路を停止し、さらに消費電力の削減を図っている。
【００２３】
このように、特許文献１の表示装置では、種々の消費電力低減を図る技術を開示している。
【特許文献１】特開２０００−３３９９８４号公報（平成１２年１２月８日公開）
【特許文献２】特開２００１−３０７４９５号公報（平成１３年１１月２日公開）
【特許文献３】特開２００３−２４８４６８号公報（平成１５年９月５日公開）
【特許文献４】特開２００２−１４３１８号公報（平成１４年１月１８日公開）
【発明の開示】
【発明が解決しようとする課題】
【００２４】
しかしながら、上記従来の表示装置の駆動装置、表示装置、及び表示装置の駆動方法では、レベルシフタ１２０は、クロック信号ＣＫ又は反転クロック信号ＣＫＢのオンオフのいかんに関わらず、入力段のトランジスタＰ１１・Ｐ１２のいずれかが常時導通する電流駆動型であり、定電流源Ｉｃの電流が流れていることになる。したがって、消費電力の低減の観点では、未だ不十分であるという問題点を有している。
【００２５】
なお、本発明に類似する技術として、特許文献４があり、この特許文献４ではパーシャル表示において、部分画面表示モードの駆動周波数を、全画面表示モードの駆動周波数よりも大きく設定する技術が開示されている。しかし、この技術は、パーシャル表示における消費電力の削減を図るべく、全画面表示モード時には高電圧電源回路に接続する一方、パーシャル表示には低電圧電源回路に接続するという従来技術での表示むらを防ぐことを目的としており、本願とは課題解決のための原因の捉え方が異なっている。
【００２６】
本発明は、上記従来の問題点に鑑みなされたものであって、その目的は、レベルシフタの無効電流による消費電力を低減し得る表示装置の駆動装置、表示装置、及び表示装置の駆動方法を提供することにある。
【課題を解決するための手段】
【００２７】
本発明の表示装置の駆動装置は、上記課題を解決するために、互いに交差する複数の走査信号線及び複数のデータ信号線を有し、各走査信号線から出力される走査信号に同期して各データ信号線を通して各交差部に設けられた画素に対して画像表示データ信号が出力される表示画面を備えた表示装置の駆動装置において、ソースクロック信号に同期して動作する複数段のフリップフロップと、上記フリップフロップの駆動電圧よりも振幅が小さな上記ソースクロック信号を昇圧して上記各フリップフロップへ印加する各レベルシフタとを有して、上記ソースクロック信号に同期して入力パルスを伝送するシフトレジスタとを備え、このシフトレジスタからの各出力に基いてサンプリング回路にて画像表示データ信号をサンプリングして、上記複数のデータ信号線に出力するデータ信号線駆動回路と、画像表示するときに、上記ソースクロック信号の周波数を、フルカラーモードにて多階調表示するノーマル表示時よりも大きくする制御手段とが設けられていることを特徴としている。
【００２８】
また、本発明の表示装置の駆動方法は、上記課題を解決するために、互いに交差する複数の走査信号線及び複数のデータ信号線を有し、各走査信号線から出力される走査信号に同期して各データ信号線を通して各交差部に設けられた画素に対して画像表示データ信号が出力される表示画面を備えた表示装置の駆動方法において、ソースクロック信号に同期して動作する複数段のフリップフロップと、上記フリップフロップの駆動電圧よりも振幅が小さな上記ソースクロック信号を昇圧して上記各フリップフロップへ印加する各レベルシフタとを有して、上記ソースクロック信号に同期して入力パルスを伝送するシフトレジスタとを備え、このシフトレジスタからの各出力に基いてサンプリング回路にて画像表示データ信号をサンプリングして、上記複数のデータ信号線に出力するデータ信号線駆動回路を含み、画像表示するときに、上記ソースクロック信号の周波数を、フルカラーモードにて多階調表示するノーマル表示時よりも大きくすることを特徴としている。
【００２９】
上記の発明によれば、表示装置の駆動装置は、ソースクロック信号に同期して動作する複数段のフリップフロップと、上記フリップフロップの駆動電圧よりも振幅が小さな上記ソースクロック信号を昇圧して上記各フリップフロップへ印加する各レベルシフタとを有して、上記ソースクロック信号に同期して入力パルスを伝送するシフトレジスタとを備え、このシフトレジスタからの各出力に基いてサンプリング回路にて画像表示データ信号をサンプリングして、上記複数のデータ信号線に出力するデータ信号線駆動回路を備えている。
【００３０】
したがって、この表示装置の駆動装置を駆動するときには、データ信号線にデータ信号を出力しないときにも、レベルシフタのトランジスタの無効電流が定常的に流れ、電力が消費されている。
【００３１】
そこで、本発明では、制御手段は、画像表示するときに、上記ソースクロック信号の周波数が、フルカラーモードにて多階調表示するノーマル表示時よりも大きくなるように制御する。この結果、無効電流が流れている時間が短くなるので、消費電力を低減することができる。
【００３２】
したがって、レベルシフタの無効電流による消費電力を低減し得る表示装置の駆動装置、及び表示装置の駆動方法を提供することができる。
【００３３】
また、本発明の表示装置の駆動装置は、上記記載の表示装置の駆動装置において、前記表示画面の全体を表示させる全画面表示モードと、該表示画面の一部のみを時分割表示させる部分画面表示モードとを切り替えて駆動すると共に、前記制御手段は、上記部分画面表示モードにおける表示部分を表示するときに、ソースクロック信号の周波数を、全画面表示モードにおける表示部分を表示するときのソースクロック信号の周波数よりも大きくすることを特徴としている。
【００３４】
また、本発明の表示装置の駆動方法は、上記記載の表示装置の駆動方法において、前記表示画面の全体を表示させる全画面表示モードと、該表示画面の一部のみを時分割表示させる部分画面表示モードとを切り替えて駆動すると共に、上記部分画面表示モードにおける表示部分を表示するときに、ソースクロック信号の周波数を、全画面表示モードにおける表示部分を表示するときのソースクロック信号の周波数よりも大きくすることを特徴としている。
【００３５】
上記の発明によれば、表示画面の全体を表示させる全画面表示モードと、該表示画面の一部のみを時分割表示させる部分画面表示モードとを切り替えて駆動する。したがって、本発明では、パーシャル表示モードを採用する。
【００３６】
ここで、パーシャル表示モードは、例えば携帯電話等の携帯機器の表示装置に使用され、待機時に部分表示されるモードである。そして、待機時の方が長時間であるので、特に消費電力を低減する必要がある。
【００３７】
そこで、本発明では、制御手段は、部分画面表示モードにおける表示部分を表示するときに、ソースクロック信号の周波数を、全画面表示モードにおける表示部分を表示するときのソースクロック信号の周波数よりも大きくする。
【００３８】
したがって、長時間である待機時における表示の消費電力の低減を図ることにより、消費電力の低減効果が大きくなる。
【００３９】
また、本発明の表示装置の駆動装置は、上記記載の表示装置の駆動装置において、前記部分画面表示モードにおける表示部分を表示するときには、該表示部分を構成する各画素をオンオフの２状態で表示することを特徴としている。
【００４０】
また、本発明の表示装置の駆動装置は、上記記載の表示装置の駆動装置において、前記表示部分を構成する各画素における赤（Ｒ）・緑（Ｇ）・青（Ｂ）の各３原色をオンオフする２状態で表示することを特徴としている。
【００４１】
また、本発明の表示装置の駆動方法は、上記記載の表示装置の駆動方法において、前記部分画面表示モードにおける表示部分を表示するときには、該表示部分を構成する各画素をオンオフの２状態で表示することを特徴としている。
【００４２】
また、本発明の表示装置の駆動方法は、上記記載の表示装置の駆動方法において、前記表示部分を構成する各画素における赤（Ｒ）・緑（Ｇ）・青（Ｂ）の各３原色をオンオフする２状態で表示することを特徴としている。
【００４３】
上記の発明によれば、部分画面表示モードにおける表示部分を表示するときには、該表示部分を構成する各画素をオンオフの２状態で表示する。具体的には、各画素における赤（Ｒ）・緑（Ｇ）・青（Ｂ）の各３原色をオンオフして表示する。すなわち、各画素には一般的に赤（Ｒ）・緑（Ｇ）・青（Ｂ）の各３原色が存在するが、この赤（Ｒ）・緑（Ｇ）・青（Ｂ）をそれぞれオンオフすることによって、異なる８色が表示できる。したがって、待機時における表示は静止画であり、異なる８色で表示しても十分画像を認識でき、かつ周波数を速くしても表示むらが起こる可能性が小さい。この結果、部分画面表示モードにおける表示部分の表示に適したカラー表示といえる。なお、上記の赤（Ｒ）・緑（Ｇ）・青（Ｂ）は、必ずしもこれに限らず、該表示部分を構成する各画素において、他の色をオンオフの２状態で表示することが可能である。
【００４４】
また、本発明の表示装置の駆動装置は、上記記載の表示装置の駆動装置において、前記制御手段は、前記部分画面表示モードにおける表示部分の走査信号のゲートクロック信号の周波数を、全面表示モードにおける走査信号のゲートクロック信号の周波数よりも大きくすることを特徴としている。
【００４５】
また、本発明の表示装置の駆動方法は、上記記載の表示装置の駆動方法において、前記部分画面表示モードにおける表示部分の走査信号のゲートクロック信号の周波数を、全面表示モードにおける走査信号のゲートクロック信号の周波数よりも大きくすることを特徴としている。
【００４６】
上記の発明によれば、部分画面表示モードにおける表示部分の走査信号のゲートクロック信号の周波数を、全面表示モードにおける走査信号のゲートクロック信号の周波数よりも大きくするので、部分画面表示モードにおける表示部分の動作速度が速くなる。したがって、表示部分の表示時間が短くなるので、走査信号線駆動回路についても無効電流による消費電力の低減を図ることができる。
【００４７】
また、本発明の表示装置の駆動装置は、上記記載の表示装置の駆動装置において、前記制御手段は、前記部分画面表示モードにおける非表示部分の走査信号のゲートクロック信号の周波数を、全面表示モードにおける走査信号のゲートクロック信号の周波数よりも小さくすることを特徴としている。
【００４８】
また、本発明の表示装置の駆動方法は、上記記載の表示装置の駆動方法において、前記部分画面表示モードにおける非表示部分の走査信号のゲートクロック信号の周波数を、全面表示モードにおける走査信号のゲートクロック信号の周波数よりも小さくすることを特徴としている。
【００４９】
すなわち、部分画面表示モードにおける非表示部分は、例えば白表示、黒表示又はベタ表示等の表示を行う。その場合に、例えば液晶表示装置では、表示が一定時間保持されるので、その表示が消えるまでに再表示すればよい。
【００５０】
そこで、本発明では、制御手段は、部分画面表示モードにおける非表示部分の走査信号のゲートクロック信号の周波数を、全面表示モードにおける走査信号のゲートクロック信号の周波数よりも小さくする。
【００５１】
これにより、部分画面表示モードにおける非表示部分の表示を間欠的にして消費電力の低減を図ることができる。
【００５２】
また、本発明の表示装置の駆動装置は、上記記載の表示装置の駆動装置において、前記部分画面表示モードにおける非表示部分に画像を表示させるときに、前記画像表示データ信号とは別の供給線を用いて電圧を印加する電圧印加手段が設けられていることを特徴としている。
【００５３】
また、本発明の表示装置の駆動方法は、上記記載の表示装置の駆動方法において、前記部分画面表示モードにおける非表示部分に画像を表示させるときに、前記画像表示データ信号とは別の供給線を用いて電圧を印加することを特徴としている。
【００５４】
上記の発明によれば、電圧印加手段は、部分画面表示モードにおける非表示部分に画像を表示させるときに、画像表示データ信号とは別の供給線を用いて電圧を印加する。このため、部分画面表示モードにおける非表示部分に表示を行うときに、設定した任意の電圧を印加することができる。したがって、部分画面表示モードにおける非表示部分にいわゆるベタ画像又は１色の背景画像を表示させることができる。
【００５５】
また、この部分画面表示モードにおける非表示部分に表示をするときに、電圧印加手段は、画像表示データ信号とは別の供給線を用いて電圧を印加するので、レベルシフタを備えたシフトレジスタを通さない。したがって、レベルシフタの無効電流による消費電力を低減することができる。
【００５６】
また、本発明の表示装置の駆動装置は、上記記載の表示装置の駆動装置において、前記部分画面表示モードにおける表示部分に画像表示データ信号を印加して画像を表示させるときに、プリチャージ電圧を印加するプリチャージ電圧印加手段が設けられていることを特徴としている。
【００５７】
また、本発明の表示装置の駆動方法は、上記記載の表示装置の駆動方法において、前記部分画面表示モードにおける表示部分に画像表示データ信号を印加して画像を表示させるときに、プリチャージ電圧を印加することを特徴としている。
【００５８】
上記の発明によれば、プリチャージ電圧印加手段は、部分画面表示モードにおける表示部分に画像表示データ信号を印加して画像を表示させるときに、プリチャージ電圧を印加する。これにより、部分画面表示モードにおける表示部分にプリチャージ電圧を印加した後、画像表示データ信号を印加して画像を表示させるので、画像表示データ信号の印加電圧を小さくすることができる。したがって、さらに、消費電力の低減を図ることができる。
【００５９】
また、本発明の表示装置は、上記課題を解決するために、上記記載の表示装置の駆動装置を備えたことを特徴としている。
【００６０】
したがって、レベルシフタの無効電流による消費電力を低減し得る表示装置を提供することができる。
【発明の効果】
【００６１】
本発明の表示装置の駆動装置、表示装置、及び表示装置の駆動方法では、フリップフロップの駆動電圧よりも振幅が小さなソースクロック信号を昇圧して上記各フリップフロップへ印加するレベルシフタとを有する。したがって、この表示装置の駆動装置を駆動するときには、データ信号線にデータ信号を出力しないときにも、レベルシフタのトランジスタの無効電流が定常的に流れ、電力が消費されている。
【００６２】
そこで、本発明では、制御手段は、画像表示するときに、上記ソースクロック信号の周波数を、フルカラーモードにて多階調表示するノーマル表示時よりも大きくする画像表示するときに、上記クロック信号の周波数を、フルカラーモードにて多階調表示するノーマル表示時よりも大きくなるように制御する。この結果、無効電流が流れている時間が短くなるので、消費電力を低減することができる。
【００６３】
したがって、レベルシフタの無効電流による消費電力を低減し得る表示装置の駆動装置、及び表示装置の駆動方法を提供することができるという効果を奏する。
【発明を実施するための最良の形態】
【００６４】
本発明の一実施形態について図１ないし図１５に基づいて説明すれば、以下の通りである。
【００６５】
本実施の形態の表示装置としての液晶表示装置１１は、図２に示すように、表示画面１２、走査信号線駆動回路ＧＤ、データ信号線駆動回路ＳＤ、及び制御手段としての制御回路１５を備えている。上記走査信号線駆動回路ＧＤ、データ信号線駆動回路ＳＤ、及び制御回路１５は、駆動装置２を構成している。
【００６６】
表示画面１２は、互いに平行するｎ本の走査信号線ＧＬ…（ＧＬ１、ＧＬ２、…ＧＬｎ）及び互いに平行するｎ本のデータ信号線ＳＬ…（ＳＬ１、ＳＬ２、…ＳＬｎ）と、マトリクス状に配置された画素（図中、ＰＩＸ）１６…とを有している。画素１６は、隣接する２本の走査信号線ＧＬ・ＧＬと隣接する２本のデータ信号線ＳＬ・ＳＬとで包囲された領域に形成される。なお、説明の便宜上、走査信号線ＧＬ及びデータ信号線ＳＬの数は同じくｎ本としたが、両線の数が異なっていてもよい。
【００６７】
走査信号線駆動回路ＧＤは、シフトレジスタ１７を備えており、該シフトレジスタ１７は、制御回路１５から入力される二種類のゲートクロック信号ＧＣＫ１・ＧＣＫ２、及びゲートスタートパルスＧＳＰに基づいて各行の画素１６に接続された走査信号線ＧＬ１、ＧＬ２、…に与える走査信号を順次発生するようになっている。なお、シフトレジスタ１７の回路構成については後述する。
【００６８】
データ信号線駆動回路ＳＤは、シフトレジスタ１及びサンプリング回路ＳＡＭＰを備えている。制御回路１５からシフトレジスタ１へは、互いに位相が異なる二種類のソースクロック信号ＳＣＫ・ＳＣＫＢ、及びソーススタートパルスＳＳＰが入力される一方、制御回路１５からサンプリング回路ＳＡＭＰへは、映像信号である画像表示データ信号としての多階調データ信号ＤＡＴが入力される。上記反転ソースクロック信号ＳＣＫＢは、ソースクロック信号ＳＣＫの反転信号である。
【００６９】
データ信号線駆動回路ＳＤは、シフトレジスタ１の各段から出力される出力信号Ｑ１〜Ｑｎに基づいて、サンプリング回路ＳＡＭＰにて多階調データ信号ＤＡＴをサンプリングし、得られた映像データを各列の画素１６に接続されたデータ信号線ＳＬ１、ＳＬ２、…に出力するようになっている。
【００７０】
制御回路１５は、走査信号線駆動回路ＧＤ及びデータ信号線駆動回路ＳＤの動作を制御するための各種の制御信号を生成する回路である。制御信号としては、上述のように、各クロック信号ＧＣＫ１・ＧＣＫ２・ＳＣＫ・ＳＣＫＢ、各スタートパルスＧＳＰ・ＳＳＰ、及び多階調データ信号ＤＡＴ等が用意されている。
【００７１】
なお、液晶表示装置１１の走査信号線駆動回路ＧＤ、データ信号線駆動回路ＳＤ、及び表示画面１２の各画素１６には、それぞれスイッチ素子が設けられている。
【００７２】
液晶表示装置１１がアクティブマトリクス型液晶表示装置である場合、上記の画素１６は、図３に示すように、電界効果トランジスタからなるスイッチ素子である画素トランジスタＳＷと、液晶容量ＣＬを含む画素容量ＣＰ（必要に応じて補助容量ＣＳが付加される）とによって構成される。このような画素１６において、画素トランジスタＳＷのドレイン及びソースを介してデータ信号線ＳＬと画素容量ＣＰの一方の電極とが接続され、画素トランジスタＳＷのゲートが走査信号線ＧＬに接続され、画素容量ＣＰの他方の電極が全画素に共通の図示しない共通電極線に接続されている。
【００７３】
ここで、ｉ本目のデータ信号線ＳＬｉとｊ本目の走査信号線ＧＬｊとに接続された画素１６をＰＩＸ（ｉ，ｊ）と表すと（ｉ，ｊは、１≦ｉ，ｊ≦ｎの範囲の任意の整数）、当該ＰＩＸ（ｉ，ｊ）において、走査信号線ＧＬｊが選択されると、画素トランジスタＳＷが導通し、データ信号線ＳＬｉに印加された映像データとしての電圧が画素容量ＣＰへ印加される。このように画素容量ＣＰにおける液晶容量ＣＬに電圧が印加されると、液晶の透過率又は反射率が変調される。したがって、走査信号線ＧＬｊを選択し、データ信号線ＳＬｉへ映像データに応じた信号電圧を印加すれば、当該ＰＩＸ（ｉ，ｊ）の表示状態を、映像データに合わせて変化させることができる。
【００７４】
液晶表示装置１１では、走査信号線駆動回路ＧＤが走査信号線ＧＬを選択し、選択中の走査信号線ＧＬとデータ信号線ＳＬとの組み合わせに対応する画素１６への映像データが、データ信号線駆動回路ＳＤによってそれぞれのデータ信号線ＳＬへ出力される。これによって、当該走査信号線ＧＬに接続された画素１６へ、それぞれの映像データが書き込まれる。さらに、走査信号線駆動回路ＧＤが走査信号線ＧＬを順次選択し、データ信号線駆動回路ＳＤがデータ信号線ＳＬへ映像データを出力する。この結果、表示画面１２の全画素１６にそれぞれの映像データが書き込まれることになり、表示画面１２に多階調データ信号ＤＡＴに応じた画像が表示される。
【００７５】
ここで、上記制御回路１５からデータ信号線駆動回路ＳＤまでの間、各画素１６への映像データは、多階調データ信号ＤＡＴとして、時分割で伝送されており、データ信号線駆動回路ＳＤは、タイミング信号となる、所定の周期でデューティ比が５０％以下（本実施形態では、Ｌｏｗ期間がＨｉｇｈ期間より短い）のソースクロック信号ＳＣＫと、該ソースクロック信号ＳＣＫと位相が１８０°異なる反転ソースクロック信号ＳＣＫＢと、ソーススタートパルスＳＳＰとに基づいたタイミングで、多階調データ信号ＤＡＴから各映像データを抽出している。
【００７６】
具体的には、データ信号線駆動回路ＳＤのシフトレジスタ１は、ソースクロック信号ＳＣＫ及び反転ソースクロック信号ＳＣＫＢに同期して、ソーススタートパルスＳＳＰが入力されることによって、順次、クロックの半周期に相当するパルスをシフトさせながら出力し、これにより、１クロックずつタイミングが異なる出力信号Ｑ１〜Ｑｎを生成する。また、データ信号線駆動回路ＳＤのサンプリング回路ＳＡＭＰは、各出力信号Ｑ１〜Ｑｎのタイミングで、多階調データ信号ＤＡＴから映像データを抽出する。
【００７７】
一方、走査信号線駆動回路ＧＤのシフトレジスタ１７は、ゲートクロック信号ＧＣＫ１・ＧＣＫ２に同期して、ゲートスタートパルスＧＳＰが入力されることによって、順次、クロックの半周期に相当するパルスをシフトさせながら出力し、これにより、１クロックずつタイミングが異なる走査信号を、各走査信号線ＧＬ１〜ＧＬｎへ出力する。
【００７８】
上記データ信号線駆動回路ＳＤのシフトレジスタ１、及び走査信号線駆動回路ＧＤのシフトレジスタ１７の大略的な構成は、何れも従来の図１７に示す構成と同様のものとすることができる。ただし、本実施の形態のシフトレジスタ１又はシフトレジスタ１７においては、用いられるリセットセットフリップフロップの構成が従来と異なるものであるため、リセットセットフリップフロップの具体例を、以下に詳細に説明する。
【００７９】
本実施の形態のデータ信号線駆動回路ＳＤのシフトレジスタ１は、図４に示すように、リセットセットフリップフロップ（ＳＲ−ＦＦ）（以下、「ＲＳフリップフロップ」と称す）を複数段接続することによって構成されている。そして、本実施の形態においても、従来と同様に、ソースクロック信号ＳＣＫ及び反転ソースクロック信号ＳＣＫＢをレベルシフトするレベルシフタＬＳを備えている。したがって、レベルシフタＬＳは、入力された例えば３．３Ｖのソースクロック信号ＳＣＫ及び反転ソースクロック信号ＳＣＫＢにより、個別シフトレジスタＳＲを介して例えば８Ｖの駆動電圧からなる出力信号Ｑ１・Ｑ２・Ｑ３がデータ信号線ＳＬに映像データを出力するタイミング信号として出力されるようになっている。
【００８０】
上記のシフトレジスタ１を構成するＲＳフリップフロップの一構成例について、図５（ａ）（ｂ）に基づいて説明する。なお、以下に説明するのは、図６に示すように、セット信号Ｓバー、リセット信号Ｒ、出力信号Ｑ、その反転出力信号Ｑバーの各端子を有するＲＳフリップフロップである。
【００８１】
上記のＲＳフリップフロップでは、図５（ａ）に示すように、ｐ型トランジスタＭＰ１とｎ型トランジスタＭＮ２・ＭＮ３とが電源ＶＤＤ−ＶＳＳ間に直列接続され、ｐ型トランジスタＭＰ４・ＭＰ５とｎ型トランジスタＭＮ６・ＭＮ７とが電源ＶＤＤ−ＶＳＳ間に直列接続されている。
【００８２】
上記ｐ型トランジスタＭＰ１及びｎ型トランジスタＭＮ３・ＭＮ７のゲートには、セット信号Ｓバーが入力され、ｐ型トランジスタＭＰ４及びｎ型トランジスタＭＮ２のゲートには、リセット信号Ｒがそれぞれ入力されている。また、ｐ型トランジスタＭＰ１とｎ型トランジスタＭＮ２との接続点が、ｐ型トランジスタＭＰ５とｎ型トランジスタＭＮ６との接続点に接続されていると共に、インバータ回路ＩＮＶ１に接続されている。
【００８３】
また、インバータ回路ＩＮＶ１の出力は、ｎ型トランジスタＭＮ６及びｐ型トランジスタＭＰ５の各ゲートに接続されていると共に、インバータ回路ＩＮＶ２に接続され、出力信号ＱとしてＲＳフリップフロップの出力となる。
【００８４】
上記構成のＲＳフリップフロップの動作について説明する。
【００８５】
図５（ａ）（ｂ）に示すように、セット信号Ｓバーが入力され、Ｌｏｗレベルになると、ｐ型トラジスタＭＰ１がＯＮし、ｎ型トランジスタＭＮ３がＯＦＦする。また、このとき、リセット信号ＲはＨｉｇｈになっており、ｎ型トランジスタＭＮ２がＯＮし、ｐ型トランジスタＭＰ４はＯＦＦしている。この状態でのインバータ回路ＩＮＶ１への入力信号はｐ型トランジスタＭＰ１とｎ型トランジスタＭＮ２との接続点が電源ＶＤＤ（Ｈｉｇｈ）になっているので、インバータ回路ＩＮＶ１の出力はＬｏｗとなる。
【００８６】
同時に、ｎ型トランジスタＭＮ７はセット信号Ｓバーが入力されているので、ＯＦＦしており、さらにインバータ回路ＩＮＶ１の出力がＬｏｗであるのでｎ型トランジスタＭＮ６もＯＦＦとなり、ｐ型トランジスタＭＰ５はＯＮしている。このとき、上記ＲＳフリップフロップの出力信号ＱはＨｉｇｈとなって出力される。
【００８７】
次に、セット信号ＳバーがＨｉｇｈに転じると、ｐ型トランジスタＭＰ１はＯＦＦし、ｎ型トランジスタＭＮ３・ＭＮ７はＯＮする。一方、リセット信号Ｒは依然Ｌｏｗのままなので、ｎ型トランジスタＭＮ２はＯＦＦしており、ｐ型トランジスタＭＰ４はＯＮしている。したがって、出力信号ＱはＨｉｇｈを保ったままでいる。
【００８８】
次に、リセット信号ＲがＨｉｇｈに転じると、ｎ型トランジスタＭＮ２がＯＮし、ｐ型トランジスタＭＰ４がＯＦＦする。これにより、インバータ回路ＩＮＶ１への入力がＬｏｗに変化し、インバータ回路ＩＮＶ１の出力はＨｉｇｈとなり、さらに、インバータ回路ＩＮＶ１の出力によりｎ型トランジスタＭＮ６はＯＮし、ｐ型トランジスタＭＰ５はＯＦＦする。したがって、出力信号ＱはＬｏｗとなる。
【００８９】
次に、リセット信号ＲがＬｏｗになると、インバータ回路ＩＮＶ１の入力はｎ型トランジスタＭＮ６・ＭＮ７がＯＮしているのでＬｏｗのままとなり、出力信号ＱもＬｏｗとして出力される。
【００９０】
なお、上記ＲＳフリップフロップと従来例でも説明したレベルシフタとを組み合わせることにより、図４に示したシフトレジスタ１を構成できる。
【００９１】
上記図４に示すシフトレジスタ１の動作を、同図、及び図７に示すタイミングチャートに基づいて説明する。
【００９２】
同図に示すように、今、スタート信号ＳＰが入力されると、レベルシフタＬＳによりシフトレジスタ１の電源電圧まで昇圧され、クロック用レベルシフタＬＳのＥＮＡ端子に入力される。
【００９３】
本実施の形態のレベルシフタＬＳはＥＮＡ信号がＨｉｇｈのときのみ動作するようになっている。したがって、スタート信号ＳＰがＨｉｇｈの間、レベルシフタＬＳ１が動作し、クロック信号ＳＣＫを取り込み、シフトレジスタ１の電源電圧まで昇圧された信号が出力Ｓ１として出力される。出力Ｓ１は、インバータ回路ＩＮＶＳ１によって反転され、ＲＳフリップフロップＦ１に入力され、出力Ｑ１として発生する。出力Ｑ１は、レベルシフタＬＳ２のＥＮＡ端子に入力されることによりレベルシフタＬＳが動作状態に入り、出力Ｓ２としてレベルシフタＬＳ２から出力される。この出力Ｓ２も出力Ｓ１と同様に、インバータ回路ＩＮＶＳ２を介して、反転され、ＲＳフリップフロップＦ２をセットし、出力信号Ｑ２を得る。このとき、スタート信号ＳＰは既にＬｏｗになっているので、レベルシフタＬＳ１は非動作状態になっている。このため、以後、ＲＳフリップフロップＦ１は次にスタート信号ＳＰがＨｉｇｈになるまで動作しない。ＲＳフリップフロップＦ２の出力信号Ｑ２は、レベルシフタＬ３のＥＮＡ端子に入力され、クロック信号ＳＣＫが昇圧され、出力Ｓ３としてレベルシフタＬ３から出力される。さらに、出力Ｓ３は、インバータ回路ＩＮＶＳ３を介して反転され、ＲＳフリップフロップＦ３に入力されると共に、ＲＳフリップフロップＦ１のリセット端子Ｒに入力され、その結果、ＲＳフリップフロップＦ１の出力信号Ｑ１はＬｏｗに転じる。
【００９４】
以上の動作を繰り返すことにより、シフトレジスタ１として動作を行う。
【００９５】
なお、本実施の形態においては、必ずしも上記のシフトレジスタ１の構成例に限らず、例えば、以下に示す他のシフトレジスタ１の構成を採用することも可能である。また、以下に説明するのは、図８に示すように、制御信号ＧＢ、クロック信号ＣＫ及びその反転クロック信号ＣＫＢ、リセット信号ＲＢ、並びに出力信号ＯＵＴの各端子を有するＲＳフリップフロップである。
【００９６】
上記のＲＳフリップフロップは、図９に示すように、制御信号ＧＢ、クロック信号ＣＫ及びその反転クロック信号ＣＫＢ、リセット信号ＲＢを入力とする。また、クロック信号ＣＫ及び反転クロック信号ＣＫＢは３．３Ｖであり、本回路の８Ｖからなる電源ＶＤＤよりも振幅が小さい。つまり、電圧が小さい。
【００９７】
上記のＲＳフリップフロップは、ゲーティング部とラッチ部とから構成されている。ゲーティング部は、外部から入力される入力信号であるクロック信号ＣＫ及びその反転クロック信号ＣＫＢを、該入力信号とは別途入力される制御信号ＧＢ及びリセット信号ＲＢに応じて後段のラッチ部に供給する機能部であり、ラッチ部は、上記ゲーティング部から供給された入力信号をラッチする機能部である。
【００９８】
上記ゲーティング部では、電源ＶＤＤ（Ｈｉｇｈ電位）と入力端子ＣＫＢとの間にｐ型トランジスタＭｐ１及びｎ型トランジスタＭｎ１（以下、「ｐ型トランジスタ」は「トランジスタＭｐ」、「ｎ型トランジスタ」は「トランジスタＭｎ」と称す）が直列に接続され、インバータ回路２１を構成している。また、電源ＶＤＤと入力信号であるクロック信号ＣＫの端子との間にトランジスタＭｐ２・Ｍｎ２が直列に接続されている。また、トランジスタＭｐ１のドレインと電源ＶＳＳとの間にトランジスタＭｎ３が配置されている。
【００９９】
上記トランジスタＭｐ１・Ｍｎ３のゲートには制御信号ＧＢがそれぞれ入力されている。また、上記トランジスタＭｐ１・Ｍｎ１・Ｍｎ３の各ドレインは、トランジスタＭｎ１・Ｍｎ２の各ゲートに接続され、トランジスタＭｐ２のゲートはリセット信号ＲＢの端子に接続されている。
【０１００】
さらに、トランジスタＭｐ２・Ｍｎ２の各ドレインは、ラッチ部のトランジスタＭｐ３・Ｍｎ４の各ドレインに繋がっている。
【０１０１】
一方、ラッチ部は、電源ＶＤＤ（Ｈｉｇｈ電位）と電源ＶＳＳ（Ｌｏｗ電位）との間にトランジスタＭｐ３とトランジスタＭｎ４とで構成されているインバータ回路２２と、同じく電源ＶＤＤ（Ｈｉｇｈ電位）と電源ＶＳＳ（Ｌｏｗ電位）との間にトランジスタＭｐ４とトランジスタＭｎ５とで構成されているインバータ回路２３を備えている。
【０１０２】
インバータ回路２２とインバータ回路２３とは、その入力側と出力側とが互いに接続して組み合わされたラッチ回路を構成している。すなわち、インバータ回路２３の入力とインバータ回路２３の出力とが接続され、かつインバータ回路２２の出力とインバータ回路２３の入力とが接続されている。また、インバータ回路２２のトランジスタＭｎ４と電源ＶＳＳとの間にはトランジスタＭｎ５が配置されており、トランジスタＭｎ５のゲートにはリセット信号ＲＢのＲＢ端子が接続されている。
【０１０３】
上記インバータ回路２１の出力、すなわちトランジスタＭｐ１・Ｍｎ１のドレインからの出力はノード（Ｎｏｄｅ）Ａで示され、ゲーティング部の出力すなわちトランジスタＭｐ２・Ｍｎ２のドレインからの出力はノード（Ｎｏｄｅ）Ｂで示される。また、ラッチ部におけるインバータ回路２３の出力が出力信号ＯＵＴとなる。
【０１０４】
上記構成のＲＳフリップフロップにおいて、一例として、クロック信号ＣＫ及び反転クロック信号ＣＫＢの振幅が３．３Ｖ、回路の電源ＶＤＤが８Ｖ、電源ＶＳＳが０Ｖとする。また、ｎ型トランジスタの閾値電圧は３．５Ｖであるとする。
【０１０５】
例えば、リセット信号ＲＢがＨｉｇｈであって制御信号ＧＢの端子がＬｏｗの場合、反転クロック信号ＣＫＢにＬｏｗ（＝０Ｖ）が入力され、クロック信号ＣＫに３．３Ｖが入力されていると、トランジスタＭｐ１は導通状態であり、かつ、トランジスタＭｎ１はダイオードのような働きを呈するため、ノード（Ｎｏｄｅ）Ａの電位はトランジスタＭｎ１の閾値電圧に近い３．５Ｖ付近の電位を保っている。
【０１０６】
このとき、トランジスタＭｎ２のソースにはクロック信号ＣＫが接続されており、トランジスタＭｎ２のゲートにはノード（Ｎｏｄｅ）Ａが接続されているので、トランジスタＭｎ２のゲートソース間電位は０．２Ｖ程度であり、トランジスタＭｎ２の閾値電圧が３．５Ｖであるので、トランジスタＭｎ２は非導通状態にある。
【０１０７】
一方、反転クロック信号ＣＫＢが３．３Ｖになり、クロック信号ＣＫが０Ｖになった場合、ノード（Ｎｏｄｅ）Ａには、トランジスタＭｎ１の閾値電圧３．５Ｖ＋反転クロック信号ＣＫＢの電圧３．３Ｖ＝６．８Ｖ程度の電位が発生する。このとき、クロック信号ＣＫが０Ｖであるため、トランジスタＭｎ２のソースゲート間の電圧は、約６．８Ｖとなる。したがって、トランジスタＭｎ２の閾値電圧が３．５Ｖであるので、トランジスタＭｎ２は導通状態に入り、ノード（Ｎｏｄｅ）Ｂが０Ｖになる。
【０１０８】
したがって、ゲーティング部では、クロック信号ＣＫ及び反転クロック信号ＣＫＢのオンオフにより、ノード（Ｎｏｄｅ）Ｂの出力を制御することができる。ラッチ部では、同様の駆動によって、ゲーティング部におけるノード（Ｎｏｄｅ）Ｂの出力をリセット信号ＲＢのオフによって、ラッチするようになっている。
【０１０９】
次に、上記ＲＳフリップフロップの動作について、図１０に示すタイミングチャートを参照して説明する。
【０１１０】
先ず、時間ｔ１において制御信号ＧＢがＬｏｗになることによって、トランジスタＭｐ１が導通すると共に、トランジスタＭｎ３が非導通になる。このとき、前述のように、反転クロック信号ＣＫＢが０Ｖであって、クロック信号ＣＫが３．３Ｖであり、トランジスタＭｎ１の閾値電圧が３．５Ｖであるので、トランジスタＭｎ２のゲート電位つまりノード（Ｎｏｄｅ）Ａの電位が約３．５ＶのＨｉｇｈとなる。したがって、トランジスタＭｎ２のソース電位が電圧３．３Ｖであるので、トランジスタＭｎ２は非導通状態である。
【０１１１】
このとき、リセット信号ＲＢはＨｉｇｈ（＝８Ｖ）であるため、トランジスタＭｐ２は非導通状態である。したがって、リセット信号ＲＢがＨｉｇｈ（＝８Ｖ）のときには、ノード（Ｎｏｄｅ）Ｂは状態を変えずにＨｉｇｈを保ち続ける。すなわち、リセット信号ＲＢがＨｉｇｈ（＝８Ｖ）のときには、ラッチ部では、トランジスタＭｎ５は導通状態にあり、トランジスタＭｐ３とトランジスタＭｎ４とはインバータ回路２２として作用し、かつインバータ回路２２は、トランジスタＭｐ４とトランジスタＭｎ６とによって構成されるインバータ回路２３とラッチ回路を構成しているので、このラッチ部に接続されるノード（Ｎｏｄｅ）Ｂは、トランジスタＭｐ２は非導通状態のときには、状態が変わらない。
【０１１２】
次に、時間ｔ２において、クロックパルスのオンオフが反転して反転クロック信号ＣＫＢが３．３Ｖ、クロック信号ＣＫが０Ｖになると、ノード（Ｎｏｄｅ）ＡはトランジスタＭｎ１の閾値電圧３．５Ｖに３．３Ｖを加えた約６．８Ｖになり、この約６．８Ｖの電位はトランジスタＭｎ２のゲートに印加される。このとき、トランジスタＭｎ２のソースはクロック信号ＣＫが０Ｖであるので、トランジスタＭｎ２は導通し、ノード（Ｎｏｄｅ）ＢをＬｏｗにする。このとき、リセット信号ＲＢは未だＨｉｇｈ（＝８Ｖ）であるので、トランジスタＭｐ２は非導通状態であり、かつトランジスタＭｎ５は導通状態であり、さらに、トランジスタＭｐ３とトランジスタＭｎ４とはインバータ回路２２として機能している。したがって、ノード（Ｎｏｄｅ）ＢがＬｏｗになると、インバータ回路２２とインバータ回路２３とからなるラッチ回路が状態を変え、出力信号ＯＵＴがＨｉｇｈ（＝８Ｖ）と転じる。
【０１１３】
次に、時間ｔ３になると、制御信号ＧＢがＨｉｇｈ（電源ＶＤＤ＝８Ｖ）となり、トランジスタＭｐ１を非導通にし、トランジスタＭｎ３を導通するため、トランジスタＭｎ１・Ｍｎ２のゲートにはＬｏｗ（電源ＶＳＳ＝０Ｖ）が印加され、トランジスタＭｎ１・Ｍｎ２は非導通状態となりクロック信号ＣＫ及び反転クロック信号ＣＫＢの影響を受けない。よって、制御信号ＧＢがＨｉｇｈ（電源ＶＤＤ＝８Ｖ）である場合、クロック信号ＣＫ及び反転クロック信号ＣＫＢがいかなる状態を持とうと、ゲーティング部には影響しなくなる。このとき、ノード（Ｎｏｄｅ）Ｂは、トランジスタＭｎ２の非導通状態によりクロック信号ＣＫの影響を受けなくなるが、インバータ回路２２及びインバータ回路２３により構成されるラッチ回路によってＬｏｗに保持され、結果として出力信号ＯＵＴはＨｉｇｈ（電源ＶＤＤ＝８Ｖ）のまま保持される。
【０１１４】
次に、時間ｔ４になると、リセット信号ＲＢがＬｏｗ（電源ＶＳＳ＝０Ｖ）になり、トランジスタＭｐ２が導通状態になる。同時に、トランジスタＭｎ５のゲートにもリセット信号ＲＢが供給されるので、トランジスタＭｎ５は非導通状態になり、トランジスタＭｐ４とトランジスタＭｎ４とで構成される回路はインバータ回路２２としては機能しなくなる。よって、トランジスタＭｐ２が導通状態により、ノード（Ｎｏｄｅ）ＢがＨｉｇｈ（電源ＶＤＤ＝８Ｖ）になるので、インバータ回路２３のトランジスタＭｐ６が導通状態になることにより出力信号ＯＵＴはＬｏｗ（電源ＶＳＳ＝０Ｖ）に転じる。
【０１１５】
最後に、時間ｔ５になると、リセット信号ＲＢがＨｉｇｈとなり、トランジスタＭｐ２は非導通状態になり、トランジスタＭｎ５は導通状態になる。このとき、トランジスタＭｎ４とＭｐ３とで構成される回路は再びインバータ回路２２としての機能するため、インバータ回路２２とインバータ回路２３とが、再びラッチ回路として機能する。これにより、ノード（Ｎｏｄｅ）ＢをＨｉｇｈの状態に保持し、結果として出力信号ＯＵＴをＬｏｗのまま保持する。
【０１１６】
上述した構成のＲＳフリップフロップを用いたシフトレジスタ１の構成例を、図１１に示す。なお、図１１は、図９に示すＲＳフリップフロップを用いたシフトレジスタ１の構成例である。
【０１１７】
上記シフトレジスタ１は、複数のＲＳフリップフロップＦＦ１、ＦＦ２、…がシリアルに接続されている。そして、ＲＳフリップフロップＦＦａ（ａ＝２ｎ−１，ｎ＝１，２，…）のＣＫ端子にはクロック信号ＣＫが接続され、ＣＫＢ端子には反転クロック信号ＣＫＢが接続されている。
【０１１８】
一方、ＲＳフリップフロップＦＦａ（ａ＝２ｎ，ｎ＝１，２，…）のＣＫ端子には反転クロック信号ＣＫＢが接続され、ＣＫＢ端子にはクロック信号ＣＫが接続されている。このように、奇数番目のＲＳフリップフロップＦＦａ（ａ＝２ｎ−１，ｎ＝１，２，…）と、偶数番目のＲＳフリップフロップＦＦａ（ａ＝２ｎ，ｎ＝１，２，…）とによって、ＣＫ端子とＣＫＢ端子とに接続されるクロック信号ＣＫと反転クロック信号ＣＫＢとの関係が逆になっている。
【０１１９】
また、上記シフトレジスタ１は、最初の段におけるＲＳフリップフロップＦＦ１のＧＢ端子には、スタートパルス信号ＳＰＢが入力されており、各段のＲＳフリップフロップＦＦａの出力信号ＯＵＴは、出力信号Ｑ１、Ｑ２、Ｑ３、…と、シフトレジスタ１の出力として出力される。また、各段のＲＳフリップフロップＦＦ１、…における出力信号Ｑ１、…のそれぞれは、インバータを介して制御信号ＧＢ２、…として、次段のＲＳフリップフロップＦＦのＧＢ端子に接続されている。
【０１２０】
また、２段目以降のＲＳフリップフロップＦＦ２、ＦＦ３、…においては、その出力信号Ｑ２、Ｑ３、…の反転信号が、次段のＧＢ端子に入力されると共に、前段のＲＳフリップフロップのＲＧ端子にも接続されリセット信号として用いられている。例えば、２段目のＲＳフリップフロップＦＦ２の出力信号Ｑ２の反転信号である制御信号ＧＢ３は、３段目のＲＳフリップフロップＦＦ３のＧＢ端子と１段目のＲＳフリップフロップＦＦ１のＲＢ端子とに接続されている。
【０１２１】
次に、上記シフトレジスタの動作について、図１２のタイミングチャートを用いて説明する。
【０１２２】
先ず、時間ｔ１においてスタートパルス信号ＳＰＢがＲＳフリップフロップＦＦ１のＧＢ端子に入力された後、時間ｔ２においてクロック信号ＣＫがＬｏｗに変わるとＲＳフリップフロップＦＦ１のＯＵＴ信号、すなわち出力信号Ｑ１がＨｉｇｈに転じる。また、この出力信号Ｑ１は、インバータを介してＲＳフリップフロップＦＦ２のＧＢ端子に制御信号ＧＢ２として入力されるため、ＲＳフリップフロップＦＦ２のＧＢ端子にはＬｏｗの信号が入力されることとなる。
【０１２３】
続いて、ＲＳフリップフロップＦＦ２のＧＢ端子にＬｏｗの制御信号ＧＢ２が入力されている状態で、時間ｔ３において反転クロック信号ＣＫＢがＬｏｗに変わるとＲＳフリップフロップＦＦ２のＯＵＴ信号、すなわち出力信号Ｑ２がＨｉｇｈに転じる。また、出力信号Ｑ２の反転信号である制御信号ＧＢ３がＬｏｗに転じる。この制御信号ＧＢ３は、ＲＳフリップフロップＦＦ３のＧＢ端子に入力されると共に、ＲＳフリップフロップＦＦ１のＲＢ端子にも入力され、ＦＦ１はリセットされて出力信号Ｑ１がＬｏｗへ転じる。
【０１２４】
このように、シリアルに接続されたセットリセットフリップフロップは、クロック信号ＣＫ及び反転クロック信号ＣＫＢに同期して、シフトレジスタ１として機能する。上記シフトレジスタ１は、前述のクロック信号ＣＫ及び反転クロック信号ＣＫＢが回路の電源ＶＤＤよりも低い振幅を持った場合でも同様に動作する。
【０１２５】
ところで、上記シフトレジスタ１における、図４に示すレベルシフタＬＳ、及び図９に示すゲーティング部では、制御信号ＧＢがＨｉｇｈのときには、クロック信号ＣＫ又は反転クロック信号ＣＫＢのオンオフのいかんに関わらず、レベルシフタＬＳ及びゲーティング部のトランジスタＭｐ１が常時導通する電流駆動型であり、定電流源の電流つまり無効電流が流れていることになる。したがって、消費電力低減の観点からすると不十分である。
【０１２６】
そこで、本実施の形態の駆動装置２、液晶表示装置１１、及び液晶表示装置１１の駆動方法では、図１３のタイミングチャートに示すように、一部の期間Ｔにおいてソースクロック信号ＳＣＫの周波数を速くしている。すなわち、本実施の形態では、画像表示するときに、ソースクロック信号ＳＣＫの周波数を、フルカラーモードにて多階調表示するノーマル表示時よりも大きくなるように制御している。なお、ノーマル表示時では、一般に、周波数６０Ｈｚ又は５０Ｈｚにて駆動されるが、フリッカが生じない場合には周波数３０Ｈｚの場合もある。したがって、本実施の形態では、これよりも速いことになる。
【０１２７】
これにより、定電流源の電流つまり無効電流が流れている期間が短くなるので、それだけ、消費電力が低減できることになる。なお、この制御は、後述するパーシャル表示に限らず、表示むらを起こさない限り行う通常の表示においても行うことができ、消費電力低減を図ることができる。
【０１２８】
ここで、上記タイミングチャートを説明する前に、本実施の形態の液晶表示装置１１では、このパーシャル表示ができるようになっているので、このパーシャル表示をするための構成について、先に説明する。
【０１２９】
すなわち、本実施の形態の液晶表示装置１１では、携帯電話の表示用装置として使用可能となっており、図１４に示すように、表示画面１２の表示領域を分割して表示するいわゆるパーシャル表示ができるようになっている。このパーシャル表示では、表示領域を例えば領域Ｐ１・Ｐ２・Ｐ３の３領域に分割する。そして、表示画面１２の全体を表示させる全画面表示モードでは、領域Ｐ１・Ｐ２・Ｐ３を使用して、フルカラーモードにて表示を行う。一方、待機時においては、表示画面１２の一部のみを表示させる部分画面表示モードとすることができる。この全画面表示モードと部分画面表示モードとの切り替えは、図示しない切り替えスイッチにより行うことができる。例えば、領域Ｐ１・Ｐ３では背景を白表示として何も表示しない非表示部分１２ｂとすると共に、領域Ｐ２では表示部分１２ａとして時刻表示や壁紙等を静止画にて表示する。
【０１３０】
ここで、上記領域Ｐ２における静止画としての壁紙では、本実施の形態では、領域Ｐ２を構成する各画素をオンオフの２状態で表示する。具体的には、各画素における赤（Ｒ）・緑（Ｇ）・青（Ｂ）の各３原色をオンオフすることにより得られる８色のカラー表示にて表示を行う。これにより、フルカラーで表示するのに比べて、消費電力を低減することができる。
【０１３１】
上記のパーシャル表示を行う駆動装置２は、詳細には、図１５に示すように、多階調データ信号ＤＡＴをデータ信号線駆動回路ＳＤに供給する第１配線３０ａと、一定の均一色表示時に印加する電圧又は予備充電電圧からなる定電圧データ書込信号ＰＶＩをデータ信号線駆動回路ＳＤに供給する第２配線３０ｂとの２つの配線によって、各信号が、データ信号線駆動回路ＳＤのサンプリング回路ＳＡＭＰに供給されるようになっている。この定電圧データ書込信号ＰＶＩは、多階調データ信号ＤＡＴよりも低い電圧からなっている。
【０１３２】
本実施の形態では、上記多階調データ信号ＤＡＴは、フルカラーによる多階調データに限らず、上述したように、各画素における赤（Ｒ）・緑（Ｇ）・青（Ｂ）の各３原色をオンオフすることにより得られる８色のカラー表示も含んでいる。また、上記定電圧データ書込信号ＰＶＩにおける一定の均一色表示時に印加する電圧というのは、白表示、黒表示等の２値からなる２値データ信号を含むことを意味する。したがって、この２値データ信号は、上述の領域Ｐ１・Ｐ３の表示に利用できる。
【０１３３】
上記サンプリング回路ＳＡＭＰには、データ作成部ＬＣＤＣから、別途、定電圧データ書込信号ＰＶＩを選択するための選択用信号ＰＣＬＴが供給されている。したがって、多階調データ信号ＤＡＴについては、データ信号線駆動回路ＳＤのシフトレジスタＳＲからの前記フリップフロップ回路ＦＦによって選択されて、データ信号線ＳＬに出力される。また、定電圧データ書込信号ＰＶＩについては、上記選択用信号ＰＣＬＴによって選択されて、データ信号線ＳＬに出力される。
【０１３４】
上記構成の液晶表示装置１１におけるパーシャル表示を行う駆動方法について、前記図１３のタイミングチャートに基いて、前記の一部のソースクロック信号ＳＣＫの周波数を速くしている点を踏まえて説明する。すなわち、図１３は、待機時のタイミングチャートを示している。
【０１３５】
本実施の形態では、図１３に示すように、待機時においては、表示するのは３垂直走査期間（３Ｖ）に１度とする。したがって、最初の第１垂直走査期間（１Ｖ）のみゲートクロック信号ＧＣＫ及びゲートスタートパルスＧＳＰ、並びにソースクロック信号ＳＣＫ及びソーススタートパルスＳＳＰを稼動し、次の第２垂直走査期間、第３垂直走査期間はゲートクロック信号ＧＣＫ及びゲートスタートパルスＧＳＰ、並びにソースクロックＳＣＫ及びソーススタートパルスＳＳＰを停止させることにより、回路動作を停止させる。このような駆動をしても、液晶は表示を保持する性質を有しているので、静止画の場合には表示が保たれている。これにより、表示駆動上のフレームを間引くために間欠的に駆動回路を停止しているので、消費電力が低減できる。
【０１３６】
また、本実施の形態では、前記領域Ｐ１・Ｐ３の表示における背景の白データはリフレッシュレート（書き換え頻度）を下げても表示上問題がないので、非表示用の白データの表示は、６垂直走査期間（６Ｖ）毎に行い、その間の第３垂直走査期間、第９垂直走査期間、…にはデータ信号線駆動回路ＳＤを停止し、消費電力の削減を図っている。
【０１３７】
これらの消費電力の削減に加えて、本実施の形態では、さらに、表示部用の画像データを表示する表示期間Ｔでは、ソースクロック信号ＳＣＫの周波数を速くしている。すなわち、フルカラーモードにて多階調表示するノーマル表示時には、図１（ａ）に示すソースクロック信号ＳＣＫのパルス幅にて出力信号Ｑ１、Ｑ２、Ｑ３、…を出力するのに対して、図１（ｂ）に示すように、それよりもソースクロック信号ＳＣＫの周波数を速くしてパルス幅を短くしている。なお、この制御は、制御回路１５が行う。
【０１３８】
これにより、レベルシフタＬＳに流れる無効電流である定電流源の電流の流れる時間が短くなり、消費電力の削減が図れる。
【０１３９】
さらに、本実施の形態では、図１３に示すように、ゲートクロック信号ＧＣＫについて、非表示部分のスキャンでは走査信号線駆動回路ＧＤの動作速度が遅く、表示部分でのスキャンは動作速度が速くなっている。これにより、走査信号線駆動回路ＧＤにおいても、無効電流による消費電力の低減を図ることができる。
【０１４０】
また、本実施の形態では、前記領域Ｐ２を表示するときには、定電圧データ書込信号ＰＶＩを選択するためのプリチャージ電圧印加手段としての選択用信号ＰＣＬＴにより、予めプリチャージ電圧を印加している。これにより、領域Ｐ２を前記８色表示するときに、高電圧を印加する必要がないので、消費電力の低減を図ることができる。
【０１４１】
なお、この選択用信号ＰＣＬＴは、必ずしも部分画面表示モードにおける表示部分である領域Ｐ２のプリチャージ電圧の印加には限らない。すなわち、電圧印加手段としての選択用信号ＰＣＬＴによって、部分画面表示モードにおける非表示部分である領域Ｐ１・Ｐ３に対して設定した任意の電圧を印加することができる。したがって、非表示部分である領域Ｐ１・Ｐ３にいわゆるベタ画像又は１色の背景画像を表示させることができる。
【０１４２】
このように、本実施の形態の液晶表示装置１１の駆動装置２及び液晶表示装置１１の駆動方法では、ソースクロック信号ＳＣＫに同期して動作する複数段のフリップフロップＦＦと、このフリップフロップＦＦの駆動電圧よりも振幅が小さなソースクロック信号ＳＣＫを昇圧してフリップフロップＦＦへ印加する各レベルシフタＬＳとを有して、ソースクロック信号ＳＣＫに同期して入力パルスを伝送するシフトレジスタ１とを備え、このシフトレジスタ１からの各出力に基いてサンプリング回路ＳＡＭＰにて画像表示データ信号をサンプリングして、複数のデータ信号線ＳＬに出力するデータ信号線駆動回路ＳＤが設けられている。
【０１４３】
したがって、この液晶表示装置１１の駆動装置２を駆動するときには、データ信号線ＳＬにデータ信号を出力しないときにも、レベルシフタＬＳのトランジスタの無効電流が定常的に流れ、電力が消費されている。
【０１４４】
そこで、本実施の形態では、制御回路１５は、画像表示するときに、ソースクロック信号ＳＣＫの周波数が、フルカラーモードにて多階調表示するノーマル表示時よりも大きくなるように制御する。この結果、無効電流が流れている時間が短くなるので、消費電力を低減することができる。
【０１４５】
したがって、レベルシフタＬＳの無効電流による消費電力を低減し得る液晶表示装置１１の駆動装置２及び液晶表示装置１１の駆動方法を提供することができる。
【０１４６】
また、本実施の形態の液晶表示装置１１の駆動装置２及び液晶表示装置１１の駆動方法では、表示画面１２の全体を表示させる全画面表示モードと、該表示画面１２の一部のみを時分割表示させる部分画面表示モードとを必要に応じて切り替えて駆動する。したがって、本実施の形態では、パーシャル表示モードを採用する。
【０１４７】
ここで、パーシャル表示モードは、例えば携帯電話等の携帯機器の表示装置に使用され、待機時に部分表示されるモードである。そして、待機時の方が長時間であるので、特に消費電力を低減する必要がある。
【０１４８】
そこで、本実施の形態では、制御回路１５は、部分画面表示モードにおける表示部分を表示するときに、ソースクロック信号ＳＣＫの周波数を、全画面表示モードにおける表示部分を表示するときのソースクロック信号ＳＣＫの周波数よりも大きくする。
【０１４９】
したがって、長時間である待機時における表示の消費電力の低減を図ることにより、消費電力の低減効果が大きくなる。
【０１５０】
また、本実施の形態の液晶表示装置１１の駆動装置２及び液晶表示装置１１の駆動方法では、部分画面表示モードにおける表示部分である領域Ｐ２を表示するときには、部分画面表示モードにおける表示部分を表示するときには、領域Ｐ２を構成する各画素１６をオンオフの２状態で表示する。具体的には、各画素１６における赤（Ｒ）・緑（Ｇ）・青（Ｂ）の各３原色をオンオフして表示する。すなわち、各画素１６には一般的に赤（Ｒ）・緑（Ｇ）・青（Ｂ）の各３原色が存在するが、この赤（Ｒ）・緑（Ｇ）・青（Ｂ）をそれぞれオンオフすることによって、異なる８色が表示できる。したがって、待機時における表示は静止画であり、異なる８色で表示しても十分画像を認識でき、かつ周波数を速くしても表示むらが起こる可能性が小さい。この結果、部分画面表示モードにおける表示部分の表示に適したカラー表示といえる。なお、上記の赤（Ｒ）・緑（Ｇ）・青（Ｂ）は、必ずしもこれに限らず、領域Ｐ２を構成する各画素１６において、他の色をオンオフの２状態で表示することが可能である。
【０１５１】
また、本実施の形態の液晶表示装置１１の駆動装置２及び液晶表示装置１１の駆動方法では、部分画面表示モードにおける表示部分の走査信号のゲートクロック信号ＧＣＫの周波数を、全面表示モードにおける走査信号のゲートクロック信号ＧＣＫの周波数よりも大きくするので、部分画面表示モードにおける表示部分の動作速度が速くなる。したがって、表示部分の表示時間が短くなるので、走査信号線駆動回路ＧＤについても無効電流による消費電力の低減を図ることができる。
【０１５２】
ところで、部分画面表示モードにおける非表示部分つまり領域Ｐ１・Ｐ３は、例えば白表示、黒表示又はベタ表示等の表示を行う。その場合に、液晶表示装置１１では、表示が一定時間保持されるので、その表示が消えるまでに再表示すればよい。
【０１５３】
そこで、本実施の形態の液晶表示装置１１の駆動装置２及び液晶表示装置１１の駆動方法では、制御回路１５は、部分画面表示モードにおける非表示部分の走査信号のゲートクロック信号ＧＣＫの周波数を、全面表示モードにおける走査信号のゲートクロック信号ＧＣＫの周波数よりも小さくする。
【０１５４】
これにより、部分画面表示モードにおける非表示部分の表示を間欠的にして消費電力の低減を図ることができる。
【０１５５】
また、本実施の形態の液晶表示装置１１の駆動装置２及び液晶表示装置１１の駆動方法では、選択用信号ＰＣＬＴは、部分画面表示モードにおける非表示部分である領域Ｐ１・Ｐ３に画像を表示させるときに、多階調データ信号ＤＡＴとは別の供給線を用いて定電圧データ書込信号ＰＶＩにより、電圧を印加する。このため、部分画面表示モードにおける非表示部分である領域Ｐ１・Ｐ３に表示を行うときに、設定した任意の電圧を印加することができる。したがって、部分画面表示モードにおける領域Ｐ１・Ｐ３にいわゆるベタ画像又は１色の背景画像を表示させることができる。
【０１５６】
また、この部分画面表示モードにおける非表示部分に表示をするときに、選択用信号ＰＣＬＴは、多階調データ信号ＤＡＴとは別の供給線を用いて電圧を印加するので、レベルシフタＬＳを備えたシフトレジスタ１を通さない。したがって、レベルシフタＬＳの無効電流による消費電力を低減することができる。
【０１５７】
また、本実施の形態の液晶表示装置１１の駆動装置２及び液晶表示装置１１の駆動方法では、選択用信号ＰＣＬＴは、部分画面表示モードにおける表示部分つまり領域Ｐ２に画像表示データ信号を印加して画像を表示させるときに、つまり直前にプリチャージ電圧を印加する。
【０１５８】
これにより、部分画面表示モードにおける表示部分にプリチャージ電圧を印加した後、画像表示データ信号を印加して画像を表示させるので、画像表示データ信号の印加電圧を小さくすることができる。したがって、消費電力のさらなる低減を図ることができる。
【０１５９】
また、本本実施の形態の液晶表示装置１１は、上記の駆動装置２を備えている。したがって、レベルシフタＬＳの無効電流による消費電力を低減し得る液晶表示装置１１を提供することができる。
【０１６０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６１】
本発明の表示装置及びその駆動方法は、アクティブマトリクス型の液晶表示装置の駆動装置、液晶表示装置の駆動方法、及び液晶表示装置に用いることができ、特に、携帯電話、ＰＤＡを代表とする携帯情報ツールへの適用が好ましい。
【図面の簡単な説明】
【０１６２】
【図１】（ａ）は本発明における液晶表示装置の実施の一形態を示すものであり、データ信号線駆動回路のノーマル表示時の駆動波形を示す波形図である。（ｂ）は本発明における液晶表示装置の実施の一形態を示すものであり、データ信号線駆動回路の部分画面表示モードにおける表示部分の駆動波形を示す波形図である。
【図２】上記液晶表示装置の構成を示すブロック図である。
【図３】上記液晶表示装置における画素の構成を示すブロック図である。
【図４】上記液晶表示装置におけるデータ信号線駆動回路のシフトレジスタの内部構成を示すブロック図である。
【図５】（ａ）は上記データ信号線駆動回路のシフトレジスタにおけるリセットセットフリップフロップの基本構造を示すブロック図であり、（ｂ）は上記リセットセットフリップフロップの動作を示すタイミングチャートである。
【図６】上記データ信号線駆動回路のシフトレジスタにおけるリセットセットフリップフロップの基本構造を示す図である。
【図７】上記リセットセットフリップフロップを用いたシフトレジスタによる入出力信号の波形を示すタイミングチャートである。
【図８】上記データ信号線駆動回路のシフトレジスタにおけるリセットセットフリップフロップの基本構造を示す図である。
【図９】上記リセットセットフリップフロップの詳細構造を示すブロック図である。
【図１０】上記リセットセットフリップフロップの入出力信号の波形を示すタイミングチャートである。
【図１１】上記リセットセットフリップフロップを用いたシフトレジスタの構成を示すブロック図である。
【図１２】上記リセットセットフリップフロップを用いたシフトレジスタによる入出力信号の波形を示すタイミングチャートである。
【図１３】上記液晶表示装置のパーシャル表示モードにおける入出力信号の波形を示すタイミングチャートである。
【図１４】上記液晶表示装置のデータ信号線駆動回路における詳細構造を示すブロック図である。
【図１５】上記液晶表示装置のパーシャル表示モードにおける表示画面の表示状態を示す正面図である。
【図１６】従来の液晶表示装置のデータ信号線駆動回路の構成を示すブロック図である。
【図１７】上記のデータ信号線駆動回路に使用されるシフトレジスタにおけるレベルシフタの構成を示す回路図である。
【図１８】従来の他の従来の他の液晶表示装置の構成を示すものであり、パーシャル表示モードにおける表示画面の表示状態を示す正面図である。
【図１９】上記液晶表示装置の全画面表示モードにおける入出力信号の波形を示すタイミングチャートである。
【図２０】上記液晶表示装置の待機時におけるパーシャル表示モードでの入出力信号の波形を示すタイミングチャートである。
【符号の説明】
【０１６３】
１          シフトレジスタ
２          駆動装置
１１          液晶表示装置（表示装置）
１２          表示画面
１２ａ        表示部分
１２ｂ        非表示部分
１５          制御回路（制御手段）
１６          画素
ＤＡＴ        多階調データ信号（画像表示データ信号）
ＦＦ          セットリセットフリップフロップ（フリップフロップ）
ＧＣＫ        ゲートクロック信号
ＧＤ          走査信号線駆動回路
ＧＬ          走査信号線
ＬＳ          レベルシフタ
Ｐ１・Ｐ３    領域（部分画面表示モードにおける非表示部分）
Ｐ２          領域（部分画面表示モードにおける表示部分）
ＰＣＬＴ      選択用信号（電圧印加手段、プリチャージ電圧印加手段）
ＰＶＩ        定電圧データ書込信号
ＳＡＭＰ      サンプリング回路
ＳＣＫ        ソースクロック信号
ＳＤ          データ信号線駆動回路
ＳＬ          データ信号線
【図１】
2005266177.tif 000003
【図２】
2005266177.tif 000004
【図３】
2005266177.tif 000005
【図４】
2005266177.tif 000006
【図５】
2005266177.tif 000007
【図６】
2005266177.tif 000008
【図７】
2005266177.tif 000009
【図８】
2005266177.tif 000010
【図９】
2005266177.tif 000011
【図１０】
2005266177.tif 000012
【図１１】
2005266177.tif 000013
【図１２】
2005266177.tif 000014
【図１３】
2005266177.tif 000015
【図１４】
2005266177.tif 000016
【図１５】
2005266177.tif 000017
【図１６】
2005266177.tif 000018
【図１７】
2005266177.tif 000019
【図１８】
2005266177.tif 000020
【図１９】
2005266177.tif 000021
【図２０】
2005266177.tif 000022